(57)【要約】      （修正有）【課題】高温用途におけるパッケージ用のクロージャを提供する。【解決手段】クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマー環状スカート部分は、ポリマー上壁部分から垂れ下がる。環状スカート部分は、（１）容器の雄ねじ形成部との嵌合係合のための雌ねじ形成部と、（２）容器からのクロージャの取り外しを補助する内部拗り突出部と、を含む。内部拗り突出部の少なくとも一部分は、雌ねじ形成部よりもポリマー上壁部分の近くに位置する。【選択図】図１Ａ
2018058651.tif 000002
【特許請求の範囲】
【請求項１】
ポリマー上壁部分と、
ポリマーライナーと、
ポリマー上壁部分とポリマーライナーとの間に位置するポリマーディスクと、
ポリマー上壁部分から垂れ下がるポリマー環状スカート部分であって、（１）容器の雄ねじ形成部との嵌合係合のための雌ねじ形成部と、（２）容器からのクロージャの取り外しを補助するための内部拗り突出部であって、少なくとも一部分が、雌ねじ形成部よりもポリマー上壁部分の近くに位置する内部拗り突出部と、を含む環状スカート部分と、
を含むクロージャ。
【請求項２】
内部拗り突出部が単一の突出部である、請求項１に記載のクロージャ。
【請求項３】
ポリマー上壁部分と、
ポリマーライナーと、
ポリマー上壁部分とポリマーライナーとの間に位置するポリマーディスクと、
ポリマー上壁部分から垂れ下がるポリマー環状スカート部分であって、（１）容器の雄ねじ形成部との嵌合係合のための雌ねじ形成部と、（２）ポリマーライナー及びポリマーディスクの位置決めを補助する内部ビードと、（３）容器からのクロージャの取り外しを補助するための内部拗り突出部であって、内部ビードに隣接して又は内部ビードと接触して位置し、内部ビードよりもクロージャの中心へ向かって更に内方へ延在する内部拗り突出部と、を含む環状スカート部分と、
を含むクロージャ。
【請求項４】
内部拗り突出部の少なくとも一部分が、雌ねじ形成部よりもポリマー上壁部分の近くに位置する、請求項３に記載のクロージャ。
【請求項５】
内部拗り突出部が単一の突出部である、請求項３に記載のクロージャ。
【請求項６】
開口部を定めるネック部分を有する容器であって、ネック部分上に雄ねじ形成部を有する容器と、
開口部を閉じるために容器のネック部分へ適合するように構成されたクロージャであって、ポリマー上壁部分と、ポリマーライナーと、ポリマーディスクと、ポリマー環状スカート部分と、を含み、ポリマーディスクが、ポリマー上壁部分とポリマーライナーとの間に位置し、ポリマー環状スカート部分が、ポリマー上壁部分から垂れ下がり、環状スカート部分が、（１）容器の雄ねじ形成部との嵌合係合のための雌ねじ形成部と、（２）容器からのクロージャの取り外しを補助するための内部拗り突出部であって、少なくとも一部分が、雌ねじ形成部よりもポリマー上壁部分の近くに位置する内部拗り突出部と、を含む、クロージャと、
を含むパッケージ。
【請求項７】
開口部を定めるネック部分を有する容器であって、ネック部分上に雄ねじ形成部を有する容器と、
開口部を閉じるために容器のネック部分へ適合するように構成されたクロージャであって、ポリマー上壁部分と、ポリマーライナーと、ポリマーディスクと、ポリマー環状スカート部分と、を含み、ポリマーディスクが、ポリマー上壁部分とポリマーライナーとの間に位置し、ポリマー環状スカート部分が、ポリマー上壁部分から垂れ下がり、環状スカート部分が、（１）容器の雄ねじ形成部との嵌合係合のための雌ねじ形成部と、（２）ポリマーライナー及びポリマーディスクの位置決めを補助する内部ビードと、（３）容器からのクロージャの取り外しを補助するための内部拗り突出部であって、内部ビードに隣接して又は内部ビードと接触して位置し、内部ビードよりもクロージャの中心へ向かって更に内方へ延在する内部拗り突出部と、を含む、クロージャと、
を含むパッケージ。
【請求項８】
ポリマー上壁部分と、
ポリマーライナーと、
ポリマー上壁部分とポリマーライナーとの間に位置し、容器からのクロージャの取り外しを補助するために外部拗り突出部を含むポリマーディスクであって、外部拗り突出部が、ポリマーディスクの一終端から延在する、ポリマーディスクと、
ポリマー上壁部分から垂れ下がるポリマー環状スカート部分であって、容器の雄ねじ形成部との嵌合係合のための雌ねじ形成部を含む、環状スカート部分と、
を含むクロージャ。
【請求項９】
ポリマー上壁部分と、
その一終端の近くに又はその一終端に脆弱化された領域を有するポリマーライナーであって、ポリマーライナーの脆弱化された領域が、容器からのクロージャの取り外しを補助するために容器との接着の量を低減させる、ポリマーライナーと、
ポリマー上壁部分とポリマーライナーとの間に位置するポリマーディスクと、
ポリマー上壁部分から垂れ下がるポリマー環状スカート部分であって、容器の雄ねじ形成部との嵌合係合のための雌ねじ形成部を含む、環状スカート部分と、
を含むクロージャ。
【請求項１０】
ポリマー上壁部分と、
ポリマー上壁部分から垂れ下がるポリマー環状スカート部分であって、容器の雄ねじ形成部との嵌合係合のための雌ねじ形成部を含む、環状スカート部分と、
ポリマーライナーと、
外面を有するポリマーディスクであって、ポリマー上壁部分とポリマーライナーとの間に位置し、複数のチャンネルが形成されたポリマーディスクであり、複数のチャンネルが、ポリマーディスクの外面上の、及びポリマー環状スカート部分と容器の外部口部との間の、液体の移動を補助する、ポリマーディスクと、
を含むクロージャ。
【請求項１１】
複数のチャンネルの幅が、約０．００５〜約０．１インチである、請求項１０に記載のクロージャ。
【請求項１２】
ポリマー上壁部分と、
ポリマー上壁部分から垂れ下がるポリマー環状スカート部分であって、容器の雄ねじ形成部との嵌合係合のための雌ねじ形成部を含む、環状スカート部分と、
外面を有するポリマーディスクであって、ポリマー上壁部分に隣接して位置し、複数のチャンネルが形成されたポリマーディスクであり、複数のチャンネルが、ポリマーディスクの外面上の、及びポリマー環状スカート部分と容器の外部口部との間の、液体の移動を補助する、ポリマーディスクと、
を含むクロージャ。
【発明の詳細な説明】
【技術分野】
【０００１】
分野
本発明は、一般に、パッケージ用ポリマークロージャに関する。より具体的には、本発明は、低温殺菌、高温充填、及びレトルトなどの高温用途に供されるパッケージに特に望ましいポリマークロージャに関する。
【０００２】
背景
レトルトなどの高温用途では、滅菌室は、製品に入る可能性のあるあらゆる有害生物が確実に死滅するように、華氏２５０度を超える温度に到達し及び十分な期間その温度を維持することができる。このような高温では、ポリマー面間の化学結合が、クロージャと容器との間に生じる場合がある。強い結合は、当然、堅牢な密封を作り出すためには望ましいが、容器からクロージャを取り外す使用者とっては、問題となる可能性がある。
【０００３】
レトルト用途では、従来のクロージャデザインは、輪郭付けられた金属ディスク、ドーナツ状のプラスチゾルライナー、及びねじ付リングからなる三部品システムを含む。クロージャは、パッケージを形成するために容器と共に使用される。この三部品デザインでは、柔らかいプラスチゾルライナーと容器の外面は、互いに化学結合しない。化学結合がプラスチゾルライナーと容器との間に存在しないので、金属ディスク及びプラスチゾルライナーは、クロージャの容器からの取り外しの間に、容易にリフトして容器から分離される。しかしながら、この従来のクロージャデザインは、コスト面からは望ましくはない。この従来のクロージャデザインはまた、リサイクルの困難さという点で環境面からも望ましくはない。
【０００４】
前記の欠点に対処する高温用途におけるパッケージ用のクロージャを提供することが望ましい。
【０００５】
概要
一実施形態によれば、クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマー環状スカート部分は、ポリマー上壁部分から垂れ下がる。環状スカート部分は、（１）容器の雄ねじ形成部との嵌合係合のための雌ねじ形成部と、（２）容器からのクロージャの取り外しを補助する内部拗り突出部と、を含む。内部拗り突出部の少なくとも一部分は、雌ねじ形成部よりもポリマー上壁部分の近くに位置する。
【０００６】
別の実施形態によれば、クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマー環状スカート部分は、ポリマー上壁部分から垂れ下がる。環状スカート部分は、（１）容器の雄ねじ形成部との嵌合係合のための雌ねじ形成部と、（２）ポリマーライナー及びポリマーディスクの位置決めを補助する内部ビードと、（３）容器からのクロージャの除去を補助する内部拗り突出部と、を含む。内部拗り突出部は、内部ビードに隣接して又は内部ビードと接触して位置する。内部拗り突出部は、内部ビードよりもクロージャの中心へ向かって更に内方へ延在する。
【０００７】
更なる実施形態によれば、パッケージは、容器及びクロージャを含む。容器は、開口部を定めるネック部分を有する。容器は、ネック部分上に雄ねじ形成部を有する。クロージャは、開口部を閉じるために、容器のネック部分へ適合するように構成される。クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマー環状スカート部分は、ポリマー上壁部分から垂れ下がる。環状スカート部分は、（１）容器の雄ねじ形成部との嵌合係合のための雌ねじ形成部と、（２）容器からのクロージャの取り外しを補助する内部拗り突出部と、を含む。内部拗り突出部の少なくとも一部分は、雌ねじ形成部よりもポリマー上壁部分の近くに位置する。
【０００８】
更に別の実施形態によれば、パッケージは、容器及びクロージャを含む。容器は、開口部を定めるネック部分を有する。容器は、ネック部分上に雄ねじ形成部を有する。クロージャは、開口部を閉じるために、容器のネック部分へ適合するように構成される。クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマー環状スカート部分は、ポリマー上壁部分から垂れ下がる。環状スカート部分は、（１）容器の雄ねじ形成部との嵌合係合のための雌ねじ形成部と、（２）ポリマーライナー及びポリマーディスクの位置決めを補助する内部ビードと、（３）容器からのクロージャの取り外しを補助する内部拗り突出部と、を含む。内部拗り突出部は、内部ビードに隣接して又は内部ビードと接触して位置する。内部拗り突出部は、内部ビードよりもクロージャの中心へ向かって更に内方へ延在する。
【０００９】
別の実施形態によれば、クロージャは、ポリマー上壁部分、ポリマーライナー、ポリマーディスク、及びポリマー環状スカート部分を含む。ポリマーディスクは、ポリマー上壁部分とポリマーライナーとの間に位置する。ポリマーディスクは、容器からのクロージャの取り外しを補助するために外部拗り突出部を含む。外部拗り突出部は、ポリマーディスクの一終端から延在する。ポリマー環状スカート部分は、ポリマー上壁部分から垂れ下がる。環状スカート部分は、容器の雄ねじ形成部との嵌合係合のための雌ねじ形成部を含む。
【００１０】
更なる実施形態によれば、クロージャは、ポリマー上壁部分、ポリマーライナー、ポリマーディスク、及びポリマー環状スカート部分を含む。ポリマーライナーは、一終端の近くに又は一終端に脆弱化された領域を有する。ポリマーライナーの脆弱化された領域は、容器からのクロージャの取り外しを補助するために、容器との接着の量を低減させる。ポリマーディスクは、ポリマー上壁部分とポリマーライナーとの間に位置する。ポリマー環状スカート部分は、ポリマー上壁部分から垂れ下がる。環状スカート部分は、容器の雄ねじ形成部との嵌合係合のための雌ねじ形成部を含む。
【００１１】
クロージャは、ポリマー上壁部分、ポリマー環状スカート部分、ポリマーライナー、及びポリマーディスクを含む。ポリマー環状スカート部分は、ポリマー上壁部分から垂れ下がる。環状スカート部分は、容器の雄ねじ形成部との嵌合係合のための雌ねじ形成部を含む。ポリマーディスクは、外面を有する。ポリマーディスクは、ポリマー上壁部分とポリマーライナーとの間に位置する。ポリマーディスクには、複数のチャンネルが形成される。複数のチャンネルは、ポリマーディスクの外面上の、及びポリマー環状スカート部分と容器の外部口部との間の、液体の移動を補助する。
【００１２】
パッケージは、容器及びクロージャを含む。容器は、開口部を定めるネック部分を有する。容器は、ネック部分上に雄ねじ形成部を有する。クロージャは、開口部を閉じるため、容器のネック部分へ適合するように構成される。クロージャは、ポリマー上壁部分、ポリマーライナー、ポリマーディスク、及びポリマー環状スカート部分を含む。ポリマー環状スカート部分は、ポリマー上壁部分から垂れ下がる。ポリマー環状スカート部分は、容器の雄ねじ形成部との嵌合係合のための雌ねじ形成部を含む。ポリマーディスクは、外面を有する。ポリマーディスクは、ポリマー上壁部分とポリマーライナーとの間に位置する。ポリマーディスクには、複数のチャンネルが形成される。複数のチャンネルは、ポリマーディスクの外面上の、及びポリマー環状スカート部分と容器のネック部分上の雄ねじ形成部との間の、液体の移動を補助する。
【００１３】
クロージャは、ポリマー上壁部分、ポリマー環状スカート部分、及びポリマーディスクを含む。ポリマー環状スカート部分は、ポリマー上壁部分から垂れ下がる。環状スカート部分は、容器の雄ねじ形成部との嵌合係合のための雌ねじ形成部を含む。ポリマーディスクは、外面を有する。ポリマーディスクは、ポリマー上壁部分に隣接して位置する。ポリマーディスクには、複数のチャンネルが形成される。複数のチャンネルは、ポリマーディスクの外面上の、及びポリマー環状スカート部分と容器の外部口部との間の、液体の移動を補助する。
【００１４】
パッケージは、容器及びクロージャを含む。容器は、開口部を定めるネック部分を有する。容器は、ネック部分上に雄ねじ形成部を有する。クロージャは、開口部を閉じるために、容器のネック部分へ適合するように構成される。クロージャは、ポリマー上壁部分、ポリマーディスク、及びポリマー環状スカート部分を含む。ポリマー環状スカート部分は、ポリマー上壁部分から垂れ下がる。ポリマー環状スカート部分は、容器の雄ねじ形成部との嵌合係合のための雌ねじ形成部を含む。ポリマーディスクは、外面を有する。ポリマーディスクは、ポリマー上壁部分に隣接して位置する。ポリマーディスクには、複数のチャンネルが形成される。複数のチャンネルは、ポリマーディスクの外面上の、及びポリマー環状スカート部分と容器のネック部分上の雄ねじ形成部との間の、液体の移動を補助する。
【００１５】
上記の概要は、本発明の各々の実施形態又はすべての態様を表現することを意図していない。本発明の追加的な特性及び利益は、以下に記載される詳細な説明及び図から明らかになる。
【００１６】
本発明の他の利点は、以下の詳細な説明を読み以下の図面を参照することで、明らかになるであろう。
【図面の簡単な説明】
【００１７】
【図１Ａ】本発明の一実施形態によるポリマークロージャ（明瞭化のためにポリマーライナー及びディスクなしで示される）の下部斜視図である。
【図１Ｂ】図１Ａのポリマークロージャの上部斜視図である。
【図２】本発明の一実施形態による、容器とねじ接合した（ポリマーライナー及びディスクを含む）図１Ａ及び図１Ｂのクロージャの断面図である。
【図３】図１Ａの略円形の領域Ａの拡大図である。
【図４】図１Ｂの略円形の領域Ｂの拡大図である。
【図５】図２の略円形の領域Ｃの拡大図である。
【図６Ａ】本発明の一実施形態による、封入された酸素バリア層を含むクロージャにおいて使用されるポリマーディスク及びライナーの部分図である。
【図６Ｂ】図６Ａの略円形の領域Ｄの拡大図である。
【図７】本発明の別の実施形態による、外部拗り突出部を有するディスク及びライナーの下部斜視図である。
【図８】本発明の別の実施形態による、容器とねじ接合した図７のディスク及びライナーを使用したクロージャの断面図である。
【図９】本発明の更なる実施形態による、ディスク及び脆弱化された領域を有するライナーの下部斜視図である。
【図１０】本発明の更なる実施形態による、容器とねじ接合した図９のディスク及びライナーを使用したクロージャの断面図である。
【図１１】一実施形態によるポリマーディスクの上面図である。
【図１２】図１１の略矩形の領域Ｅの拡大図である。
【図１３】図１１の線１３−１３の略断面図である。
【図１４】図１３の略矩形の領域Ｆの拡大図である。
【図１５】一実施形態による液体通路を描いたクロージャの拡大部分図である。
【００１８】
発明の詳細な説明
本発明は多様な修正及び代替形態が可能であるが、特定の実施形態が、図面に一例として示され、本明細書において詳細に説明されることになる。しかしながら、開示された特定の形態に本発明を限定しようとする意図はなく、反対に、添付の特許請求の範囲によって定められる本発明の趣旨及び範囲内に包含されるすべての修正、等価、及び代替物を網羅する意図であることを理解されたい。
【００１９】
図１Ａ及び図１Ｂは、本発明の一実施形態によるポリマークロージャ１０を示す。明瞭化のために、図１Ａ及び図１Ｂのポリマークロージャは、ポリマーライナー及びポリマーディスクなしで示されている。クロージャは、容器上に配置されてパッケージを形成するように構成される。
【００２０】
本発明のポリマークロージャは、特に、低温殺菌、高温充填、及びレトルト適用などの高温用途に供されるパッケージに特に望ましい。例えば、レトルト適用は、華氏２５０度より高い温度で行われ得る。他の非限定的な例としては、高温充填（華氏約１８５度の温度で一般に実行される）又は低温殺菌を伴う高温充填（華氏約２０５度の温度で一般に実行される）が挙げられる。本発明のポリマークロージャが、他の高温用途だけではなく高温用途ではない他の用途においても使用され得ることが企図される。例えば、本発明のポリマークロージャは、容器から分離されることが必要なディスクを使用した他の用途において使用され得る。容器から分離されるディスクの１つの非限定的な例としては、缶詰め瓶用途（例えば、Ball（登録商標）メイソンジャー）が挙げられる。
【００２１】
図１Ａ、図１Ｂ、及び図２を参照すると、ポリマークロージャ１０は、ポリマー上壁部分１２、ポリマーライナー１４、ポリマーディスク１６、及びポリマー上壁部分１２から垂れ下がるポリマー環状スカート部分１８を含む。上壁部分１２は、ドーナツ状の構成である。上壁部分は開口部なしでクロージャの上部全体にわたって延在することができることが企図される。ポリマーディスク１６は、ポリマー上壁部分１２とポリマーライナー１４との間に位置する。
【００２２】
図２のポリマーディスク１６には、複数のチャンネル６６が形成される。複数のチャンネル６６は、充填後の飲み面からの腐敗する可能性のある製品の洗浄を補助する。チャンネル６６により、液体は、パッケージの上部からポリマーディスク１６の外面上を移動し、ポリマー環状スカート部分１８と容器の口部の周囲との間を移動することができる。また、チャンネルにより、水が、反対方向に同様に移動することができる。チャンネル６６は、リンスチャンネルと呼ばれる場合がある。
【００２３】
図１Ａ、図１Ｂ、及び図２のポリマー環状スカート部分１８は、雌ねじ形成部３０、内部ビード３２、及び内部拗り突出部３４を含む。雌ねじ形成部３０は、容器のネック部分の対応する雄ねじ形成部との嵌合係合のために構成される。クロージャの雌ねじ形成部は、連続又は不連続のねじセグメントを含むことができて、１条又は多条ねじ山を含むことができる。したがって、いろいろなねじ形成部がクロージャにおいて使用され得ることが企図される。雌ねじ形成部の非限定的な一例は、螺旋ねじ形成部である。
【００２４】
図１Ａ、図１Ｂ、及び図２の内部ビード３２は、クロージャ１０内の正しい位置でのポリマーディスク１６及びポリマーライナー１４の維持を補助する。内部ビード３２は、一般に、クロージャ１０の内部の円周に連続的に延在する。内部ビードが不連続であり得ることが企図される。また、内部ビードが複数のセグメントを含むことができることが企図される。
【００２５】
ポリマーディスク及びポリマーライナーが、多条ねじ山を含む雌ねじ形成部などの、内部ビード以外の機構によって位置を維持することができることが企図される。
【００２６】
内部拗り突出部は、容器のネック部分からのクロージャの取り外しを補助する。内部拗り突出部は、処理（例えば、レトルト処理などの高温処理）の後にポリマーライナーと容器との間に形成された密封接着を破壊するための機構である。容器からのクロージャの除去を補助するために、内部拗り突出部の少なくとも一部分は、典型的に、雌ねじ形成部より上に（すなわち、ポリマー上壁部分１２の近くに）位置する。
【００２７】
図１〜４を参照すると、内部拗り突出部３４は、内部ビード３２に隣接して又は内部ビード３２と接触して位置する。この実施形態では、図２に最もよく示されるように、内部拗り突出部３４は、クロージャ１０の内部の中心へ向かって内部ビード３２よりも更に内方へ延在する。内部拗り突出部３４は、（図５の点線で特定される）一般領域４０に示されたポリマー部分１４ａと容器面１０８ａとの間の密封接着の分離を補助する。内部拗り機構３４は、図に示されるように一般にレッジ４２に沿った（均一持ち上げモーメントではなく）集中持ち上げモーメントを補助する。密封解放が内部拗り突出部３４によって開始されると、ポリマーライナーと容器との間の密封の残りは自然に剥離される。
【００２８】
図１〜５の内部拗り突出部３４は、単一の突出部として示される。クロージャが、容器からのクロージャの取り外しを補助するために複数の内部拗り突出部を含むことができることが企図される。複数の内部拗り突出部が使用される場合には、内部拗り突出部は、典型的に、容器からのクロージャの取り外しを補助するために互いに近接して位置する。内部拗り突出部は、望ましくは、集中持ち上げモーメントを補助するために端面を有する。
【００２９】
図１〜５の内部拗り突出部３４は、略円筒形で示される。図４を参照すると、内部拗り突出部３４は、一般に約０．０６〜約０．４インチである長さＬを有する。長さＬは、約０．１〜約０．３インチ、より具体的には約０．１〜約０．２インチとすることができる。内部拗り突出部３４は、一般に約０．０４〜約０．１インチである高さＨ２（全高）を有する。高さＨ２は、典型的に０．０４〜約０．０８インチ、より具体的には約０．０５〜約０．０８インチとすることができる。内部拗り突出部３４は、一般に約０．０１〜約０．０６インチである高さＨ１（内部ビード３２より上の高さ）を有する。高さＨ１は、典型的に約０．０２〜約０．０６インチ、より具体的には約０．０２〜約０．０４インチとすることができる。したがって、図１〜５の内部拗り突出部３４は、クロージャの中心へ向かって内部ビード３２よりも更に内方へ延在する。図５を参照すると、内部拗り突出部３４は、一般に約０．０４〜約０．１インチである厚さＴを有する。長さＬは、約０．０４〜約０．０８インチ、より具体的には約０．０５〜約０．０８インチとすることができる。
【００３０】
内部拗り突出部を他の形状及びサイズにすることができることが企図される。例えば、内部拗り突出部を、円筒形状、略矩形、又は矩形状とすることができる。内部拗り突出部をまた、略台形又は台形状とすることができる。
【００３１】
クロージャはまた、ポリマー不正開封明示特性を含むことができる。例えば、クロージャ１０は、下部（すなわち、ポリマー上壁部分１２の反対の終端）にポリマー不正開封明示帯５０（図１Ａ、１Ｂ）を含む。不正開封明示帯５０は、環状スカート部分１８から垂れ下がり、脆弱な接合部５２によって少なくとも部分的に取り外し可能に接合される。不正開封明示帯５０は、容器の内容物にアクセスされた可能性があることを使用者に表示するために容器と協働する。より具体的には、不正開封明示帯５０は、使用者がパッケージを開放して容器にアクセスし始めた場合に環状スカート部分１８から分離するように設計される。
【００３２】
クロージャ１０は、酸素バリア材料を含むことができる。酸素バリア材料は、分離層として追加されるか又は材料内に一体化され得る。例えば、図６Ａ及び図６Ｂを参照すると、クロージャ１１０は、ポリマーディスク１１６、酸素バリア層１２５、及びポリマーライナー１１４を含む。酸素バリア層１２５は、ポリマーディスク１１６内に封入される。この封入は、共押出プロセスを使用して実行され得る。改善された酸素バリア特性以外は、ポリマーディスク１１６及びポリマーライナー１１４は、それぞれ、ポリマーディスク１６及びポリマーライナー１４と同様に機能する。クロージャ１１０は、ポリマー上壁部分１１２及びポリマー環状スカート部分１１８を更に含み、それぞれ、ポリマー上壁部分１２及びポリマー環状スカート部分１８と同様に機能する。代替的に、別の実施形態では、酸素バリア材料は、クロージャ内に一体化され得る。例えば、ポリマーディスクが、特定の酸素バリア材料を更に含み、特定の酸素バリア材料で形成され得る。
【００３３】
酸素バリア層は、酸素がクロージャを通り容器に入ることの防止又は抑制を補助する材料によって、形成され得る。これらの材料としては、エチレンビニルアルコール（ＥＶＯＨ）が挙げられ得るが、これに限定されない。他の酸素バリア材料がクロージャの酸素バリア層において使用され得ることが企図される。
【００３４】
上壁部分１２及び環状スカート部分１８は、ポリマー材料から作られる。上壁部分１２及び環状スカート部分１８は、典型的にポリプロピレン（ＰＰ）又はポリプロピレンを含む混合物から作られる。上壁部分及び環状スカート部分が他のポリマー材料から作られ得ることが企図される。不正開封明示帯５０が使用される場合には、不正開封明示帯５０は、典型的に上壁部分１２及び環状スカート部分１８と同じ材料から作られる。
【００３５】
ディスク１６もまた、ポリマー材料から作られる。ディスク１６を形成する際に使用され得るポリマー材料の非限定的な例としては、ポリプロピレン（ＰＰ）、ポリブチレンテレフタレート（ＰＢＴ）、又はこれらの混合物が挙げられる。ディスクが他のポリマー材料から作られ得ることが企図される。
【００３６】
ライナー１４もまた、ポリマー材料から作られる。ライナー１４を形成する際に使用され得るポリマー材料の非限定的な例としては、熱可塑性エラストマー（ＴＰＥ）又はこの混合物が挙げられる。ライナーが他のポリマー材料から作られ得ることが企図される。
【００３７】
クロージャは、典型的に、射出成形、押出、又はこれらの組み合わせなどのプロセスによって形成される。複数のチャンネルは、典型的に、型成形によってポリマーディスクに形成される。複数のチャンネルが他の方法によって形成され得ることが企図される。
【００３８】
本発明のクロージャは、図２のパッケージ１００を形成するために使用される容器１０８と共に使用され得る。容器１０８の一部分が、図２に示され、開口部を定めるネック部分１０２を含む。容器１０８のネック部分１０２は、雄ねじ形成部１０４を含む。容器１０８の雄ねじ形成部１０４は、パッケージ１００を密封するためにクロージャ１０の対応する雌ねじ形成部３０と係合する。容器の雄ねじ形成部は、連続又は不連続のねじセグメントを含むことができて、１条又は多条ねじ山を含むことができる。したがって、いろいろなねじ形成部が容器において使用され得ることが企図される。雄ねじ形成部の非限定的な一例は、螺旋ねじ形成部である。
【００３９】
容器１０８は、典型的に、ポリマー材料から作られる。ポリマー容器を形成する際に使用される材料の非限定的な一例は、ポリプロピレンである。容器が他のポリマー材料から作られ得ることが企図される。容器１０８は、典型的に、上述の封入された酸素バリア層又は材料を有する。
【００４０】
容器１０８を開放して容器内の製品にアクセスするために、クロージャ１０は、容器１０８に対してクロージャ１０を回転させることによってねじを緩められる。最初に開放プロセスの間に、内部拗り突出部３４は、レッジ４２にまず係合する（図５参照）。内部拗り突出部３４は、図２及び図５に関連して見られるように、上方へ（矢印Ｕの方向に）ポリマーディスク１６（及び取り付けられたポリマーライナー１４）を押す。内部拗り突出部３４は、ポリマーライナー１４と容器面１０８ａとの間に形成された密封の破壊を補助する。密封解放が内部拗り突出部３４によって開始されると、クロージャがねじを緩められるにつれてポリマーライナーと容器面との間の密封の残りは自然に分離する。クロージャがねじを緩められた後、使用者が容器にアクセスすることができるように、ポリマーライナー１４及びポリマーディスク１６を含むクロージャ１０は、次いで容器から取り外される。不正開封明示帯５０が使用される場合には、帯５０は、クロージャ１０の残りの部分から分離されることになる。不正開封明示帯５０は、容器と共に残されるか、又は容器から別のステップにおいて取り外しされ得る。
【００４１】
他の拗り機構が上記された内部拗り突出部３４の代わりに使用され得ることが企図される。例えば、図７及び図８は、ポリマーライナー２１４及びポリマーディスク２１６を含むクロージャ２１０を示す。図７及び図８のポリマーディスク２１６には、複数のチャンネル２６６が形成される。チャンネル２６６により、液体は、パッケージの上部からポリマーディスク２１６の外面上を移動し、ポリマー環状スカート部分と容器の口部の周囲との間を移動することができる。
【００４２】
ポリマーディスク２１６は、（図８に見られるように）下端上にポリマー拗り突出部２３４を含む。ポリマー拗り突出部２３４は、上記された内部拗り機構３４と略同様に機能する。より具体的には、パッケージが開放される際に内部ビード又は雌ねじ形成部がポリマー拗り突出部２３４に接触し、これにより、拗り突出部２３４が持ち上げられて、ライナーと容器との間の密封の分離を補助する。クロージャがねじを緩められる間にこの分離は継続する。この実施形態では、クロージャ２１０は、内部拗り突出部３４が必要ではないことを除き、上記されたポリマー上壁部分１２及びポリマー環状スカート部分１８を更に含む。
【００４３】
別の実施形態では、図９及び図１０は、別の実施形態によるポリマーライナー３１４及びポリマーディスク３１６を含むクロージャ３１０を示す。図９及び図１０のポリマーディスク３１６には、複数のチャンネル３６６が形成される。チャンネル３６６により、液体は、パッケージの上部からポリマーディスク３１６の外面上を移動し、ポリマー環状スカート部分と容器の口部の周囲との間を移動することができる。ポリマーライナー３１４が脆弱化された領域３３５を含むことを除き、ポリマーライナー３１４及びポリマーディスク３１６は、上記されたポリマーライナー１４及びポリマーディスク１６と同じである。脆弱化された領域３３５は、密封接着の領域（図９において領域３３７として一般に表される）を低減させる。脆弱化された領域３３５は、ライナー３１４の完全な開口部か又はライナーの減肉部であり得る。
【００４４】
ポリマーライナー３１４の脆弱化された領域３３５は、（上記された内部拗り突出部３４又はポリマー拗り突出部２３４などの）ポリマー拗り突出部なしで使用され得る。脆弱化された領域３３５は、ポリマーライナー３１４と容器面との間の密封接着の量の低減を補助するようなサイズ及び形状にされる。ポリマーライナーと容器面との間の密封接着の量を低減させることによって、ポリマーライナー及びディスクが、容器からのクロージャの取り外しのプロセスの間に、容器に接着されたままになりにくくなる。
【００４５】
複数のチャンネルを有するポリマーディスクの詳細な一例が、図１１に示される。図１１は、複数のチャンネル６６を含むポリマーディスク１６の上面図である。図１２は、拡大された図１１の領域Ｅであり、チャンネル６６ａを描く。チャンネル６６ａは、チャンネル内終端６６ｃと比較して僅かに広いチャンネル外終端６６ｂを有する。チャンネル外終端６６ｂの幅はＷ１として示され、チャンネル内終端６６ｃは幅Ｗ２を有する。チャンネル６６ａの深さＤ１及び長さＬ１は、図１３及び図１４に示される。具体的には、図１３は、図１１の線１３−１３の略断面図であり、図１４は、拡大された図１３の領域Ｆである。図１４は、チャンネル６６ａの深さＤ１及びチャンネル６６ａの長さＬ１を示す。チャンネル６６ａのこの詳細な例が、説明される本発明の他の開示されたチャンネルに等しく適用可能であることに留意されたい。チャンネルの内終端の幅が、外終端と変わらないか又は外終端と比較して僅かに狭くなり得ることも企図される。
【００４６】
チャンネルの幅Ｗ１は、一般に、約０．００５〜約０．１インチ、より具体的には約０．０２〜約０．０７５インチの範囲である。チャンネルの幅Ｗ１は、より典型的には、約０．０３５〜約０．０６インチである。チャンネルの深さＤ１は、一般に、約０．００５〜約０．０２５インチ、より具体的には約０．００５〜約０．０１５インチである。チャンネルの長さＬ１は、一般に、約０．１〜約０．４インチ、より具体的には約０．１５〜約０．２５インチの範囲である。ポリマーディスクに形成されたチャンネルの数は、変更することができるが、一般に、約５〜約５０、より具体的には約１２〜約３６である。
【００４７】
図１５を参照すると、ポリマー上壁部分１２、ポリマー環状スカート部分１８、及び複数のチャンネル６６を含むポリマーディスク１６を有したクロージャ１０が示される。流れている液体又は水の通路Ｐ１を適切に示すために、ポリマー上壁部分１２及びポリマー環状スカート部分１８は、図１５においては略透明なものとして示される。チャンネル通路により、液体又は水は、パッケージの上部からポリマーディスク１６の外面上を移動し、ポリマー環状スカート部分１８と容器の口部の周囲との間を移動することができる。他の液体又はリンス通路が液体又は水を出すために使用され得ることが企図される。
【実施例】
【００４８】
発明のクロージャ及び比較クロージャを作り、試験した。具体的には、発明のクロージャは、ポリマー上壁部分（ＰＰ）、ポリマーライナー（ＴＰＥ）、ポリマーディスク（ＰＰ）、及び内部拗り突出部を含んだ環状スカート部分（ＰＰ）を含んでいた。発明のクロージャの構成は、図１のクロージャ１０と実質的に同様である。比較クロージャは、内部拗り突出部を含まなかったことを除き、上述の発明のクロージャと同一であった。
【００４９】
発明のクロージャ及び比較クロージャを、それぞれのレトルトパッケージ上に配置し固定した。レトルトパッケージは、その間にＥＶＯＨ封入層を有してＰＰから作られた。パッケージを、２４psiの室圧を有する華氏約２５０度のレトルト試験室内に約１０分間配置した。発明のクロージャ及び比較クロージャの各々のおよそ６つのサンプルを、試験した。レトルト試験室から取り出した後、発明のクロージャ及び比較クロージャの取り外しトルクを、SecurePakによって販売されるSpring Torque Tester（シリアル番号100-2015MRA）を使用して、試験し測定した。
【００５０】
試験の結果は、発明のクロージャが驚くべきことに比較クロージャのトルクより少ない１１．３インチポンドの平均取り外しトルクを有することを示した。追加的に、比較クロージャは、６７％の確率で容器からポリマーディスクを除去することに失敗した（３３％の合格率）。他方で、本発明のクロージャは、サンプルのいずれにおいても容器からディスクを除去することに失敗せず、１００％の合格率（０％の失敗率）であった。
【図１Ａ】
2018058651.tif 000003
【図１Ｂ】
2018058651.tif 000004
【図２】
2018058651.tif 000005
【図３】
2018058651.tif 000006
【図４】
2018058651.tif 000007
【図５】
2018058651.tif 000008
【図６Ａ】
2018058651.tif 000009
【図６Ｂ】
2018058651.tif 000010
【図７】
2018058651.tif 000011
【図８】
2018058651.tif 000012
【図９】
2018058651.tif 000013
【図１０】
2018058651.tif 000014
【図１１】
2018058651.tif 000015
【図１２】
2018058651.tif 000016
【図１３】
2018058651.tif 000017
【図１４】
2018058651.tif 000018
【図１５】
2018058651.tif 000019
【外国語明細書】
2018058651000001.pdf